(57)【特許請求の範囲】
【請求項１】
お太鼓の両側へ延びる胴周りを縫付けると共に、該胴周りに設けている粘着テープを互いに粘着することで簡単に帯締めを行なうことが出来る簡易型帯において、上記お太鼓の山に丸みを与える為に複数のダーツを設け、垂れの中央部の長さを両側に比較して短くし、裏側下方にはパットを取付け、又お太鼓に入れて山に沿って補助帯を介して結ばれる枕の表面には下方へ延びる板材を取着し、該お太鼓の表面を押えても潰れることがないように上記板材にて支えることを特徴とする簡易型帯。
【発明の詳細な説明】
【０００１】
【発明の属する技術分野】
本発明は素人であっても手軽に、しかも短時間で締めることが出来る簡易型帯に関するものである。
【０００２】
【従来の技術】
帯は着物と対を成して使用され、首の部分から裾に至って１枚で仕立てられている着物を上手に着用することは容易でなく、同時に帯においても一本の長い丈のものを胴に巻き付けて背中の見え難い場所で結ぶということが非常に難しい。これは着物を着付ける以上に困難であるとされ、一般には専門の人に着付けてもらうのが常である。その為に日本独自の着物でありながら、特別な行事以外に常日頃着用することが出来ない理由がここにある。
【０００３】
そこで、従来では「文化帯」や「作り帯」と称される簡易型帯も知られているが、着用した場合の形が悪くて手結びのような丸み(立体感)がなく、お太鼓がブカブカし、又細い紐で固定する為に安定感に欠ける等、不都合な点が多い。このように、帯は単に着用が簡単であるといっただけでは不十分であり、着用した際の見栄えが良好であることが大切となる。
【０００４】
【発明が解決しようとする課題】
このように、従来の帯には上記のごとき問題がある。本発明が解決しようとする課題はこの問題点であり、素人であっても簡単に締めることが出来ると共に、着用した状態での外観はプロが手結びした帯と変わらないように着用できる簡易型帯を提供する。
【０００５】
【課題を解決する為の手段】
本発明の簡易型帯はお太鼓に帯を取付けて構成したものであり、帯を腰に巻き付けることで着用することが出来、次の特徴を備えている。
(１)胴周りの先端部には粘着テープ(マジックテープ)を備えている。
胴周りは腰に巻き付けて先端部の粘着テープを抱き合せることで簡単に着用出来る。そして、互いに抱き合った粘着テープは緩むことなく安定した着用が出来、又手直しも自由である。
【０００６】
(２)お太鼓の丸み対策
お太鼓の山が滑らかな丸みを帯びるように、複数のダーツを形成している。又垂れの長さは両側が中央より僅かに長く成るようにしている。従って、外観状は手結びの帯に近い形状となる。
【０００７】
(３)垂れのシワ防止対策
従来では、着物を着る前か後で腰に補助具を付けて帯びを着用した際のシワ防止対策を行っているが、これは非常に面倒な操作である。本発明では垂れにシワが発生しないように前以てパットを取付けている。お太鼓の垂れが位置する身体の腰背面部分はお尻が出っ張ることで凹状化している場合が多く、その為に胴周りを締めて着用した際にシワが発生する。そこで、お太鼓の下側にはパットを取付けて凹状化に基く窪みを埋めることで該シワを防止する。
【０００８】
(４)お太鼓のブカブカ防止対策
お太鼓内に枕を取付けて締めただけでは該お太鼓全体を支えることが出来難い。その為に、お太鼓内が空洞でブカブカするが、本発明では枕に四角形の板材を固定して下方へ延ばし、板材ごとお太鼓内部に入れた状態で締めることでこのブカブカ現象を防止する。
以下、本発明に係る実施例を図面に基づいて詳細に説明する。
【０００９】
【実施例】
図１、図２は本発明に係る簡易型帯を示す実施例であり、図１は正面図、図２は背面図を表わしている。１はお太鼓、２ａ，２ｂは胴周り、３は垂れを表わし、両胴周り２ａ，２ｂはお太鼓の両側から延びている。そして該胴周り２ａ，２ｂのは粘着テープ(マジックテープ)が設けられていて、お太鼓１を背中に配置して粘着テープにて両胴周り２ａ，２ｂを固定すること手軽に着用することが出来る。
【００１０】
本発明の簡易型帯は同図に示しているように、所定の形状に形作ったお太鼓の両側に胴周り２ａ，２ｂが延びるように縫付けたものであり、一本の長い帯にてお太鼓１を形作る必要はない。そこで、該お太鼓１は従来のように一本の帯で形作った場合と同じような外観、むしろ一本の帯で形作る場合よりも好ましい形態となっている。勿論、お太鼓１はそれ自体が独立して形作られている為に、胴周り２ａ，２ｂを締めてもその形が崩れることはない。
【００１１】
ところで、お太鼓１の外観上の形態を良くする為に、次の工夫を行なっている。
(お太鼓の丸み対策)
お太鼓１の山４が滑らかな丸みを帯びるように、複数のダーツ５，５を形成している(図２参照)。又垂れ３の長さは両側が中央より僅かに長く成るようにしている。従って、外観上は手結びの帯に近い形状となる。
【００１２】
(垂れのシワ防止対策)
本発明では垂れ３にシワが発生しないようにパット６を裏側に取付けている。お太鼓１の垂れ３が位置する身体の腰背面部分はお尻が出っ張ることで凹状化している場合が多く、その為に胴周り２ａ，２ｂを締めて着用した際に腰背面との間に窪みが発生することでシワが出来る。そこで、お太鼓１の裏側下方にはパット６を取付けて凹状化に基く窪みを埋めることで該シワを防止する。このパット６は楕円形をした薄い枕のようなものであり、内部には綿などが収容されている。
【００１３】
(お太鼓のブカブカ防止対策)
帯を着用する場合、両胴周り２ａ，２ｂを締めただけではお太鼓１が安定しない為に、枕７をお太鼓１の内部に収容し、山４に沿って補助帯８にて締め付けられる。この枕７を使用する帯締め方法は従来と同じであるが、お太鼓１内に枕７を入れて締めただけでは該お太鼓１の形を保持することが出来難い。すなわち、お太鼓内が空洞でブカブカする為に、本発明では枕７に四角形の板材９を固定して下方へ延ばし、板材９と共にお太鼓内部に入れた状態で締めるようにしている。
【００１４】
図３は枕７に板材９を取付けた場合を示しているが、該板材９を枕７と共にお太鼓１の内部に入れるならば、板材９に支えられてお太鼓の形が崩れることなく安定する。すなわち、お太鼓１の表面を押えても板材９に支えられて、該お太鼓が潰れることはない。勿論、お太鼓１がブカブカすることはなくなる。
【００１５】
(手先の取付け)
本発明ではお太鼓に前以て手先１０を取付けている。１本の帯を巻いて仕上げに手先１０を出す場合、従来なら胴周りを巻く時に作る手先のことを考慮して寸法を決めなくてはならない。その為に、初めの段階で見積もりを誤ると最後にきて再度やり直さなくてはならない。すなわち、手先の長さが短く過ぎたり、長すぎるといったことになる。
【００１６】
本発明では、手先１０が独立して形を整えて取付けられ、胴周りから作る必要はない。従って、美しく形が整ったお太鼓となる。勿論、お太鼓の内側に付けた粘着テープで胴周り２ａ，２ｂと繋がっているように見える為に、着用した場合には帯締めしたと同じような帯姿を呈す。
【００１７】
以上述べたように、本発明の簡易型帯はお太鼓の両側に延びる胴周りを縫付けすると共に該胴周りには粘着テープを設け、そしてお太鼓内部に入れる枕に板材を取付けたものであり、次のような効果を得ることが出来る。
【００１８】
【発明の効果】
本発明の簡易型帯はお太鼓の両側に延びる胴周りを縫い付けしたものであり、そして胴周りには粘着テープを設けている為に、帯びを簡単にしかも短時間で着用することが出来る。すなわち、一本の長い帯を所定の形状に形作る必要はなく、お太鼓は所定の形態に前以て形作られていて、これを帯締めするだけである為に、素人であっても手軽に着用できる。そして、着用した際に窮屈感がなく、身体の動きも比較的スムーズであり、後でお太鼓の形が崩れることもない。
【００１９】
さらに、お太鼓は山に丸みを与える為に複数のダーツを設け、又垂れにシワが発生しないようにパットを取付け、そして枕には板材を取着していることで、お太鼓の形態は一本の帯を締めた場合に比較して見劣りすることはなく、むしろ外観的にもより好ましい形態を呈す。そして手先は独立して形が整えられて取付けられる為に、帯を着用する際に手先の事を考慮する必要がない。
【図面の簡単な説明】
【図１】本発明の簡易型帯の正面図。
【図２】本発明の簡易型帯の背面図。
【図３】お太鼓内部に入れる板材付き枕。
【符号の説明】
１  お太鼓
２  胴周り
３  垂れ
４  山
５  ダーツ
６  パット
７  枕
８  補助帯
９  板材
10  手先
【図１】
0004023664.tif 000002
【図２】
0004023664.tif 000003
【図３】
0004023664.tif 000004